(57)【要約】 【課題】  モード変換により制御データを関連づける指示入力エリア（２１）の変更に伴い、制御データを表す指示入力情報（１５）が異なる位置に表示されるものとなっても、操作者が容易に新たな操作位置を認識できる指示入力装置を提供する。【解決手段】  第１モードで制御データが関連づけられた指示入力エリア（２１Ｃ）の鉛直方向の第１表示位置から、第２モードで制御データが関連づけられた指示入力エリア（２１Ｆ）の鉛直方向の第２表示位置への経路に沿って、指示入力情報（１５）を順次表示させるので、操作者は、その移動軌跡を動画を見るように確認して新たな指示入力情報（１５）の移動先を知ることができる。【選択図】  図５（ｄ）
2005222416.tif 000002
【特許請求の範囲】
【請求項１】
操作エリア（２０）に複数の指示入力エリア（２１）が設定され、特定の指示入力エリア（２１）への操作を検出したときに、操作された指示入力エリア（２１）を示す操作データを出力する操作パネル（２５）と、
操作データを、操作された指示入力エリア（２１）に関連づけられた所定の制御データに変換して出力するデータ変換部（３０Ａ）と、
操作パネル（２５）に積層配置され、指示入力エリア（２１）の鉛直方向の表示領域に、指示入力エリア（２１）に関連づけられた所定の制御データを表す指示入力情報（１５）を表示可能な表示パネル（４）と、
第１モードで第１指示入力エリア（２１Ｃ）に関連づけられた制御データを、第２モードで第１指示入力エリア（２１Ｃ）と異なる操作エリア（２０）の部位に設定された第２指示入力エリア（２１Ｆ）に関連づけるモード変換部（３０）とを備え、
制御データを表す指示入力情報（１５）を、第１モードで第１指示入力エリア（２１Ｃ）の鉛直方向の第１表示位置に表示し、第２モードで第２指示入力エリア（２１Ｆ）の鉛直方向の第２表示位置に表示する指示入力装置であって、
表示パネル（４）は、第１モードから第２モードへ移行する際に、表示領域の第１表示位置から第２表示位置への経路に沿って、指示入力情報（１５）を順次表示させることを特徴とする指示入力装置。
【請求項２】
操作パネル（２５）は、各指示入力エリア（２１）毎に、少なくとも一対の発光手段（９）と受光手段（１０）が表示パネル（４）の内方に配設され、指示入力エリア（２１）を通して、発光手段（９）から外方へ発光した固有光信号を、同一の指示入力エリア（２１）で対となる受光手段（１０）が受光した際に、その指示入力エリア（２１）を示す操作データを出力する光学式操作パネルであることを特徴とする請求項１記載の指示入力装置。
【請求項３】
指示入力情報（１５）は、被制御機器の電源を制御する制御データを表すことを特徴とする請求項１または請求項２に記載の指示入力装置。
【発明の詳細な説明】
【技術分野】
【０００１】
本発明は、主に家電機器へ種々の入力操作を行う為の指示入力装置に関し、更に詳しくは、指示入力エリアの鉛直方向の表示領域に、指示入力エリアへの操作により実行される制御データを表す指示入力情報が表示された指示入力装置に関する。
【背景技術】
【０００２】
従来、ＣＲＴや液晶表示装置で構成された表示パネルと操作パネルを積層させた指示入力装置が知られている（例えば特許文献１参照）。表示パネルには、種々の指示入力の為の指示入力情報が表示され、操作者は、操作パネルの操作領域において、これらの表示を参考に対応する位置を入力操作する。
【０００３】
【特許文献１】特公平７−８２４１９号（第２頁、第１図）
【０００４】
以下、この種の従来の指示入力装置１００を図６と図７で説明すると、指示入力装置１００は、ケース１０１上に、下方から液晶表示パネル１０２、液晶表示パネル１０２の表面を保護する透明ガラス基板１０３、光学式操作パネル１０４が積層配置されている。
【０００５】
液晶表示パネル１０２は、指示入力の用途に応じて、図示しない液晶ドライバにより、その表示領域へ複数の指示入力情報１０５、１０５を所定位置に表示させ、操作者はこの指示入力情報１０５を目安に後述する入力操作を行う。
【０００６】
光学式操作パネル１０４は、矩形枠１０７の直交するＸ、Ｙ方向の２辺に沿って等間隔に取り付けられた発光素子１０８、１０８・・を順次発光走査し、矩形枠１０７内の操作エリア１０７Ａを挟み対向位置に個々に対応して配設された受光素子１０９、１０９・・で受光する。
【０００７】
操作者がペン若しくは指を操作エリア１０７Ａ内の所定の指示入力位置へ置くと、その指示入力位置を通過する光ビームが遮断されるので、その光路上の受光素子１０９が、対となる発光素子１０８の発光タイミングで受光せず、これにより光学式操作パネル１０４への指示入力位置のＸ、Ｙ座標が検出される。
【０００８】
矩形枠１０７で囲まれる操作エリア１０７Ａには、複数の指示入力エリア１０６（図中破線で表示）が設定されている。各指示入力エリア１０６には、所定の制御データが関連づけられ、指示入力位置からその指示入力エリア１０６への操作が検出されると、操作されたが指示入力入力エリア１０７Ａに関連づけられた制御データが出力され、その制御データに従って、被制御機器を動作制御する。
【０００９】
液晶表示パネル１０２に表示される指示入力情報１０５、１０５は、その下方の指示入力エリア１０６に関連づけられた制御データの内容を表すもので、操作者は、液晶表示パネル１０２の指示入力情報１０５を、透明ガラス基板１０３を介して確認しながら、希望する入力操作を行うことができる。
【００１０】
この指示入力装置１００では、同一の指示入力装置１００を用いて、図８（ａ）に示す待機モードと図８（ｂ）に示す初期モードのように、複数の指示入力エリア１０６のそれぞれに関連づけられた制御データと、その制御データを表す指示入力情報１０５とを、任意に変更することができる。
【００１１】
また、液晶表示パネル１０２は、任意の指示入力情報１０５を表示可能なので、指示入力エリア１０６に関連づけられた制御データが異なるものとなった場合には、その制御データを表す指示入力情報１０５へ容易に変更することができる。
【発明の開示】
【発明が解決しようとする課題】
【００１２】
しかしながら、例えば、電源制御を表す「電源」のように、常時表示領域へ表示する必要のある指示入力情報１０５であっても、モード変換の際に、新たに関連づける必要のある制御データとの関係で異なる位置の指示入力エリア１０６に関連づける場合には、図８（ａ）、（ｂ）に示すように、「電源」の指示入力情報１０５を異なる表示位置へ移動させなければならない。
【００１３】
その結果、モード変更後に、操作者は新たな場所に表示された「電源」の表示を見失いやすく、電源操作ができなくなったものと誤認識したり、新たな操作位置を探すのに困難が伴うものとなっていた。
【００１４】
本発明は、このような従来の問題点を考慮してなされたものであり、モード変換により制御データを関連づける指示入力エリアの変更に伴い、指示入力情報が異なる位置に表示されるものとなっても、操作者が容易に新たな操作位置を認識できる指示入力装置を提供することを目的とする。
【課題を解決するための手段】
【００１５】
上述の目的を達成するため、請求項１の指示入力装置は、操作エリアに複数の指示入力エリアが設定され、特定の指示入力エリアへの操作を検出したときに、操作された指示入力エリアを示す操作データを出力する操作パネルと、操作データを、操作された指示入力エリアに関連づけられた所定の制御データに変換して出力するデータ変換部と、操作パネルに積層配置され、指示入力エリアの鉛直方向の表示領域に、指示入力エリアに関連づけられた所定の制御データを表す指示入力情報を表示可能な表示パネルと、第１モードで第１指示入力エリアに関連づけられた制御データを、第２モードで第１指示入力エリアと異なる操作エリアの部位に設定された第２指示入力エリアに関連づけるモード変換部とを備え、制御データを表す指示入力情報を、第１モードで第１指示入力エリアの鉛直方向の第１表示位置に表示し、第２モードで第２指示入力エリアの鉛直方向の第２表示位置に表示する指示入力装置であって、
表示パネルは、第１モードから第２モードへ移行する際に、表示領域の第１表示位置から第２表示位置への経路に沿って、指示入力情報を順次表示させることを特徴とする。
【００１６】
第１モードから第２モードへ移行する際に、指示入力情報が第１表示位置から第２表示位置への経路に沿って順次表示されるので、操作者は、その移動軌跡を動画を見るように確認でき、新たな指示入力情報の移動先を知ることができる。
【００１７】
請求項２の指示入力装置は、操作パネルが、各指示入力エリア毎に、少なくとも一対の発光手段と受光手段が表示パネルの内方に配設され、指示入力エリアを通して、発光手段から外方へ発光した固有光信号を、同一の指示入力エリアで対となる受光手段が受光した際に、その指示入力エリアを示す操作データを出力する光学式操作パネルであることを特徴とする。
【００１８】
光学式操作パネルは、一対の発光手段と受光手段の組み合わせで、指示入力エリアへの操作を検出するので、操作エリアに設定した各指示入力エリアの位置と大きさが固定される。従って、各動作モードで、制御頻度の高い制御データを最も操作しやすい位置と大きさの指示入力エリアへ関連づけるが、モード変換により、小さく見落としやすい位置の指示入力エリアに関連づけられるものとなっても、指示入力情報が移動経路に沿って順次表示されるので、新たな位置の指示入力情報を確認して、その制御データの制御を行うことができる。
【００１９】
請求項３の指示入力装置は、指示入力情報が、被制御機器の電源を制御する制御データを表すことを特徴とする
【００２０】
電源制御を表す指示入力情報の表示を、表示位置が変わっても常に確認することができ、いずれの動作モードに移行しても、電源制御の操作を確実に行うことができる。
【発明の効果】
【００２１】
請求項１の発明によれば、モード変換によって、制御データを関連づける指示入力エリアが異なる位置に設定された指示入力エリアに変更され、その制御データを表す指示入力情報が異なる位置に表示されるものとなっても、操作者が容易にその移動先を認識できる。
【００２２】
また、指示入力情報の移動により、関連づけられた制御データが変更されたことを、操作者が知ることができるので、モード変換後に同じ制御を行おうとして、モード変換前の指示入力エリアを誤操作することがない。
【００２３】
また、請求項２の発明によれば、指示入力エリアが固定している光学式操作パネルで、目立たない位置に設定された指示入力エリアに関連づけられた制御データであっても、その制御データを表す指示入力情報を確認して、確実に入力操作を行うことができる。
【００２４】
これに加えて請求項３の発明によれば、被制御機器を休止させている待機モードで、待機モードから脱する電源制御を表す指示入力情報を、最も操作しやすい指示入力エリアの鉛直方向に表示させることができ、また、被制御機器が動作しているその後のモードで、見落としやすい指示入力エリアの鉛直方向に移動して表示させても、その移動先を確実に認識でき、常に電源制御操作を行うことができる。
【発明を実施するための最良の形態】
【００２５】
以下、本発明に係る指示入力装置１の一実施の形態を、図１乃至図５を用いて説明する。図１は、指示入力装置１の斜視図で、防水性が求められる風呂の給湯器を制御する指示入力装置として、図示しないバスタブから操作できるバスルームの壁面に沿って取り付けられるものである。本実施の形態に係る指示入力装置は、後述するように光学式操作パネルを用いて入力操作を検出するので、防水性が要求される給湯器、洗濯機などを制御する指示入力装置に特に適しているが、音響機器、空調機器など他の電気機器を制御する指示入力装置としてこれらの筺体に取り付けられるものでもよい。
【００２６】
指示入力装置１は、矩形の透明アクリル板３で表面が保護された内方（図２において下方）に、外方から液晶表示パネル４、拡散シート５、導光板６、反射シート７及び遮光板８が互いの対向面を貼り付けて積層配置されるとともに、その更に内方に赤外発光素子９と赤外受光素子１０を実装したプリント配線基板１１が配置され、これらの全体が合成樹脂製のケース２内に収容されている。
【００２７】
プリント配線基板１１の端部の複数箇所には、発光面が導光板６の端面と対向するように３色発光ダイオード１２が実装され、導光板６へ液晶表示パネル４のバックライト光を発光させている。
【００２８】
ケース２は、外方に開口する枡形に形成され、枡形の上方に突き出た固定枠２ａの段差に、透明アクリル板３の周囲の段部を係合させることにより、透明アクリル板３とその周囲のケース２の表面が同一平面上に整列する。また、ここでは、ケース２と透明アクリル板３間を防水性接着剤により密封した状態で接着し、ケース２内に水滴、埃等が侵入しないようにしている。
【００２９】
液晶表示パネル４は、液晶ドライバ３４により、給湯器に対する制御データを表す指示入力情報１５や、給湯器の動作や種々の案内１４などを、透明アクリル板３を通して任意に表示する（図５（ｆ）参照）もので、その詳細は、後述する。
【００３０】
導光板６は、その表面（液晶表示パネル４との対向面）に貼り付けられた拡散シート５と、背面側に貼り付けられた白色の反射シート７とに挟まれ、３色発光ダイオード１２から発光されるバックライト光を、内部で散乱させながら導光している。本実施の形態では、図１に示すように、透明アクリル板３の表面が操作エリア２０となり、その操作エリア２０に破線で表示する複数の指示入力エリア２１が設定され、導光板６は、遮光板８から立設されたしきい板１６で指示入力エリア２１毎に仕切られている。３色発光ダイオード１２は、しきい板１６で仕切られた指示入力エリア２１毎に導光板６の端面に対向して配設され、これにより指示入力エリア２１毎に異なるバックライト光が導光されるようになっている。
【００３１】
表面に貼り付けられた拡散シート５は、導光板６から外方に発光される光を拡散して、３色発光ダイオード１２や赤外発光素子９の光源が、透明アクリル板３の外方から直接目視できないようするものであり、あたかも液晶表示パネル４による表示の背景全体がバックライト光で照光されたように見える。
【００３２】
反射シート７は、上述のように表面に白色の塗料を塗布することにより、導光板６との対向面を白色としているので、バックライト光の色彩が変化することによって、液晶表示パネル４による表示の背景も、その色彩より変化したように目視される。反射シート７と遮光板８には、赤外発光素子９と赤外受光素子１０の上方にそれぞれ対応して小孔１７が穿設されている。これらの小孔１７は、例えば、内径が１乃至１．５ｍｍ程度の小孔１７であり、また、導光板６の表面側の拡散シート５により光路が散乱されるので、透明アクリル板３の外方からは、目視されない。
【００３３】
プリント配線基板１１は、遮光板８の背面側に沿って取り付けられ、このプリント配線基板１１に各指示入力エリア２１毎に対となる赤外発光素子９と赤外受光素子１０で構成される操作検出ユニットＵが実装されている。操作検出ユニットＵは、ここでは、９種類の指示入力エリア２１Ａ、２１Ｂ、・・２１Ｉに対応して、対となる赤外発光素子９と赤外受光素子１０とからなる操作検出ユニットＵ１、Ｕ２・・Ｕ９が配置されている。これらの操作検出ユニットＵと、指示入力エリア２１が設定された透明アクリル板３及び後述のマイコン３０で、指示入力エリア２１への操作を検出する操作パネル２５が構成される。
【００３４】
発光手段となる赤外発光素子９は、赤外発光ダイオードで構成され、図２に示すように、小孔１７を通して外方へ固有光信号である赤外光を発光する。また、受光手段となる赤外受光素子１０は、受光面が赤外フィルター（図示せず）で覆われたフォトダイオードで構成され、小孔１７を通過して到達する固有光信号を受光するようになっている。
【００３５】
図３に示すように、赤外発光素子は、例えば、４５５ｋＨｚの固有周波数の固有周波数でＬＥＤドライバ３１により駆動制御されるもので、ＬＥＤドライバ３１から駆動制御データが出力されている間、赤外発光素子から４５５ｋＨｚの赤外信号である固有光信号が発光される。
【００３６】
ＬＥＤドライバ３１の入力側には、マイコン３０の制御出力端子が接続され、マイコン３０によって、各操作検出ユニットＵのＬＥＤドライバ３１の駆動制御データが、互いに重複しない周期Ｔで出力制御され、各操作検出ユニットＵから発光される固有光信号は、図４に示すタイミングでそれぞれの赤外発光素子９から発光される。
【００３７】
赤外受光素子１０の出力には、バンドパスフィルタ３２が接続されている。バンドパスフィルタ３２は、赤外受光素子１０で光電変換された４５５ｋＨｚの固有周波数の光電変換信号を波形整形回路３３へ出力するものであり、従って、赤外受光素子１０が、固有光信号を受光した場合にのみ、その光電変換信号を波形整形回路３３を介してマイコン３０へ出力することとなる。これにより、自然光、他のリモコン送信信号などと、対となる赤外発光素子９が発光した固有光信号とを、識別することができる。
【００３８】
マイコン３０には、「電源制御」「給湯」「温度設定」等の各種制御データや、液晶表示パネル４へ表示する指示入力情報１５等の表示データ、その表示を表示制御するプログラム等が記憶された記憶部３５が接続されている。この内、制御データは、マイコン３０で制御される指示入力装置１のモード毎に各指示入力エリア２１にそれぞれ関連づけて記憶されている。例えば、「電源制御」の制御データは、給湯器及び指示入力装置１が休止している待機モードで、指示入力エリア２１Ｃに関連づけられ、動作が開始された直後の初期モードでは、指示入力エリア２１Ｆに関連づけられて記憶されている。
【００３９】
マイコン３０は、いずれかの操作検出ユニットＵから対となる赤外受光素子１０の発光タイミングで光電変換信号が入力された場合に、その操作検出ユニットＵが配置された指示入力エリア２１に対する操作を検出したものとする。マイコン３０内のデータ変換部３０Ａでは、操作検出ユニットＵから出力した光電変換信号を、操作された指示入力エリア２１を示す操作データとして、その指示入力エリア２１に関連づけられた制御データへ変換する。制御データは、給湯器へ出力して給湯器の動作を制御したり、指示入力装置１自体の動作を制御する。
【００４０】
液晶表示パネル４は、マイコン３０に接続された液晶ドライバ３４により表示制御されるもので、図５（ｆ）に示すように、制御データを表す指示入力情報１５や、給湯器の動作や入力操作のための種々の案内１４などを、記憶部３５に記憶された表示プログラムに従って表示する。
【００４１】
図５に示すように、表示プログラムは、これらの表示を指示入力装置１のモード変換にともなって液晶表示パネル４の表示領域に可変表示するもので、その内、指示入力情報１５は、各動作モードにおいて、指示入力エリア２１に制御データが関連づけられている場合に、その指示入力エリア２１の下方の表示領域に表示される。液晶表示パネル４の表示領域は、透明アクリル板３を通して上方（外方）から視認できるので、操作者は、指示入力情報１５に指などを接近させて入力操作を行うことにより、指示入力情報１５が表す制御データを出力することができる。
【００４２】
また、指示入力装置１の特定のモードで、特定の指示入力エリア２１に関連づけられていた制御データが、モード変更により異なる位置に設定された指示入力エリア２１に新たに関連づけられるものとなった場合には、その制御データを表す指示入力情報１５は、モード変更の過程で、変更前の指示入力エリア２１の下方から新たに関連づけられた指示入力エリア２１の下方へ移動する経路に沿って、表示領域上に順次表示される。これにより、同じ制御を行うための入力操作位置が移動したとしても、操作者は新たな入力操作位置を明確に認識することができる。
【００４３】
以下、このように構成された指示入力装置１の動作を更に詳細に説明する。指示入力装置１は、一定時間指示入力装置１への操作を行わない場合に、電力消費を軽減するため主要な動作回路への電力供給を停止した待機モードとなっている。
【００４４】
待機モードでは、主要な回路を休止させるために、指示入力装置１を起動させる「電源制御」の制御データを出力する入力操作のみを検出している。従って、「電源制御」の制御データは、入力しやすい位置に設定された５カ所の指示入力エリア２１Ａ乃至２１Ｅに関連づけられ、操作エリアの上方のこれらのいずれかのエリアに指などを接近させれば、入力操作を行えるようになっている。「電源制御」の制御データを表す指示入力情報１５は、図５（ａ）に示すように、二重枠で囲った「電源」の文字であり、「電源制御」が関連づけられた指示入力エリア２１の中で中央の指示入力エリア２１Ｃ下方の表示領域に表示される。
【００４５】
入力操作が行われていない間は、対となる赤外発光素子から発光される固有光信号を、指示入力エリア２１で反射させるような物体が存在しないので、赤外受光素子１０は固有光信号を受光せず、マイコン３０へ光電変換信号が出力されることもない。この状態では、マイコン３０は、当該指示入力エリア２１に対して入力操作は実行されていないものと判定し、操作データを出力することはない。
【００４６】
一方、待機モードにおいて指示入力エリア２１Ａ乃至２１Ｅのいずれか、例えば、指示入力エリア２１Ｃの上方に表示されている「電源制御」を行おうとして指５０を接近させると、指示入力エリア２１Ｃに対応して設けられた操作検出ユニットＵ３の赤外発光素子９より、周期Ｔで指示入力エリア２１Ｃの外方に固有光信号が発光されているので、固有光信号は指５０で反射され、再び、指示入力エリア２１Ｃ内の同じ操作検出ユニットＵ３の赤外受光素子１０に入力される。マイコン３０は、赤外受光素子１０で光電変換された光電変換信号を、同じ操作検出ユニットＵ３の赤外発光素子９が固有光信号を発光したタイミングとほぼ同時に入力するので、その指示入力エリア２１Ｃに対して入力操作が実行されたものと判定して、関連づけられた電源制御データを出力し、給湯器の主電源がＯＮとなる。また、指示入力装置１は、起動して回路全体に電源が供給され、初期モードに移行する。
【００４７】
このときに、他の操作検出ユニット（例えばＵ８）の赤外発光素子においても、指５０で反射された固有光信号を受光することがあるが、その操作検出ユニットＵ８の赤外発光素子９が固有光信号を発光するタイミングと異なるタイミングで、光電変換信号がマイコン３０に入力されるので、その操作検出ユニットＵ８に対する入力操作とは認識しない。
【００４８】
指示入力エリア２１Ｃに対して入力操作が実行されたとマイコン３０が認識すると、そのエリア３０Ｃの背面を照光する３色発光ダイオード１２が点灯し、背面側の導光板６にバックライト光が導光される。従って、操作者は、指示入力エリア２１Ｃへの入力操作が正しく検出されたかを、指示入力エリア２１Ｃ背面の照光によって知ることができる。
【００４９】
初期モードでは、図５（ｆ）に示すように、給湯器に対する給湯制御の他、インターフォン機能を用いた他の部屋との通話、指示入力装置１自体の機能を利用したゲームなど種々の動作に移行するための制御データが、各指示入力エリア２１に割り当てられている。一方、どのモードに移行しても、主電源をＯＦＦとして待機モードに戻るための「電源制御」の入力操作を行えるように、初期モードに移行しても「電源制御」の制御データは、指示入力エリア２１に割り当てられるが、初期モードにおいては、給湯制御のガイド等頻度の高い制御の操作をより操作しやすい位置へ優先するため、目立たない左下隅に設定された指示入力エリア２１Ｆに割り当てられる。
【００５０】
そこで、本実施の形態では、図５（ａ）の待機モードにおいて電源制御への操作を検出し、図５（ｆ）の初期モードに移行する間、表示プログラムにより、二重枠で囲った「電源」の指示入力情報１５を、図５（ｂ）乃至（ｅ）に示すように、指示入力エリア２１Ｃ下方の表示領域から指示入力エリア２１Ｆ下方の表示領域へ移動する経路に沿って順次表示する。これにより、「電源」の表示が電源制御データの割りあて先変更により表示領域の左下隅に移動しても、操作者は電源制御の新たな操作位置を示す「電源」の表示１５を認識できる。
【００５１】
以上の実施の形態では、操作パネルとして非接触で指示入力を行う光学式操作パネルを用いたが、表示パネルに直接接触して指示入力を行うものであってもよく、また、操作エリアに設定したいずれかの指示入力エリアへの操作を検出できるものであれば、感圧式タブレットなど他の方式の操作パネルでもよい。この場合に、表示パネルは、指示入力エリアへの操作の検出が可能で、外方から目視できれば、操作パネルに対して鉛直方向のいずれに積層配置するものであってもよい。
【００５２】
また、操作エリアに設定する指示入力エリアは、各モードにおいて固定されたものであったが、モード毎に各指示入力エリアを任意の大きさと位置に設定できる操作パネルであってもよい。
【００５３】
更に、制御データは、どのような内容のものであってもよく、その制御データを表す指示入力情報は、文字情報の他、その制御データの内容を図形化したアイコンでもよい。
【産業上の利用可能性】
【００５４】
本発明は、表示パネルに操作パネルへの操作で出力される制御内容を表示する指示入力装置に適している。
【図面の簡単な説明】
【００５５】
【図１】本発明の第１実施の形態に係る指示入力装置１の斜視図である。
【図２】指示入力装置１の縦断面図である。
【図３】指示入力装置１の構成を示すブロック図である。
【図４】各操作検出ユニットＵから発光される固有光信号を示すタイミングチャートである。
【図５（ａ）】待機モードでの指示入力装置１の平面図である。
【図５（ｂ）】待機モードから初期モードに移行する間の図５（ａ）に示す直後の指示入力装置１の平面図である。
【図５（ｃ）】待機モードから初期モードに移行する間の図５（ｂ）に示す直後の指示入力装置１の平面図である。
【図５（ｄ）】待機モードから初期モードに移行する間の図５（ｃ）に示す直後の指示入力装置１の平面図である。
【図５（ｅ）】待機モードから初期モードに移行する間の図５（ｄ）に示す直後の指示入力装置１の平面図である。
【図５（ｆ）】図５（ｅ）に示す直後の初期モードでの指示入力装置１の平面図である。
【図６】従来の指示入力装置１００を示す分解斜視図である。
【図７】指示入力装置１００の縦断面図である。
【図８（ａ）】待機モードでの指示入力装置１００の平面図である。
【図８（ｂ）】初期モードでの指示入力装置１００の平面図である。
【符号の説明】
【００５６】
１      指示入力装置
４      表示パネル
９      赤外発光素子（発光手段）
１０    赤外受光素子（受光手段）
１５    指示入力情報
２０    操作エリア
２１    指示入力エリア
２５    操作パネル
３０    マイコン（モード変換部）
３０Ａ  データ変換部
【図１】
2005222416.tif 000003
【図２】
2005222416.tif 000004
【図３】
2005222416.tif 000005
【図４】
2005222416.tif 000006
【図５（ａ）】
2005222416.tif 000007
【図５（ｂ）】
2005222416.tif 000008
【図５（ｃ）】
2005222416.tif 000009
【図５（ｄ）】
2005222416.tif 000010
【図５（ｅ）】
2005222416.tif 000011
【図５（ｆ）】
2005222416.tif 000012
【図６】
2005222416.tif 000013
【図７】
2005222416.tif 000014
【図８（ａ）】
2005222416.tif 000015
【図８（ｂ）】
2005222416.tif 000016